(57)【特許請求の範囲】
【請求項１】
トンネル内から切羽前方にボーリングを行なって切羽前方の地盤の安定確認を行なう工程と、前記トンネル内から前記切羽前方の地盤中に注入材を注入することによって前記切羽前方の地盤の地盤改良を行う工程と、前記切羽を掘削してトンネルを掘進しつつ掘進したトンネルの地山を覆工する工程を交互に繰り返し行なうことによりトンネルを構築するトンネルの構築工法において、前記ボーリングによる切刃前方の地盤の安定確認はボーリング孔からの出水量を参酌して行い、切刃前方の地盤改良はボーリング孔から注入材を注入することにより行い、切刃の掘削は手掘りまたは機械掘りによって行ない、かつ前記ボーリングによる地盤の安定確認、注入材の注入および切羽の掘削は施工済みの地盤改良部をカバーロックとして行なうことを特徴とするトンネルの構築工法。
【請求項２】
切羽前方の地盤の安定確認と地盤改良は、トンネルの円周方向に放射状に行うことを特徴とする請求項１記載のトンネルの構築工法。
【請求項３】
ハンドドリルまたはミゼットドリルを用いてボーリングを行なうことを特徴とする請求項１または２記載のトンネルの構築工法。
【発明の詳細な説明】
【技術分野】
【０００１】
本発明はトンネルの構築工法に関し、特に被圧地下水位以下でトンネルをきわめて効率的かつ安全に構築することができる。
【背景技術】
【０００２】
例えば、開放型推進工法は推進管の先端に刃口を設置し、刃口内で手掘り、あるいはバックホウ等を装備した機械掘りによって切り刃を掘削しつつ、後方の元押しジャッキで推進管を地中に推し進めて埋設することによりトンネルを構築する方法である。
【０００３】
開放型推進工法は径が比較的小さく、距離の比較的短いトンネルを構築する場合は密閉型の推進工法やシールド工法に比べて経済的であり、主としてガス、電気、上下水道など、日常の生活に欠かせないライフラインを収容する共同溝や道路用トンネル等の構築に利用されている。
【０００４】
ところで、開放型推進工法によってトンネルを構築するに際しては、事前に地盤調査を行って地盤の安定を確認してから工事を開始し、特に地下水位が高く、被圧地下水位以下でトンネルを構築する場合は、あらかじめ注入工法などによって地盤改良を行い、またシルトを含む互層などのように注入材の浸透しにくい地盤では、必要に応じて工事中も随時補足注入を行なうことにより施工の効率化と安全性を図っている。
【０００５】
また、例えば特許文献１には、トンネルの内部にパイロットトンネルを先行して掘進し、このパイロットトンネル内から周囲の地山に注入材を注入し、さらに地山に複数のロックボルトを放射状に打ち込んで地山を安定させてからトンネルを掘進する方法が記載されている(特許文献１)。
【０００６】
【特許文献１】特開平９−４３６２号公報
【特許文献２】特開２００５−２０６２２号公報
【特許文献３】特開昭５７−８９０９４号公報
【特許文献４】特開平７−８２７３５号公報
【発明の開示】
【発明が解決しようとする課題】
【０００７】
しかし、開放型推進工法における事前の地盤調査や地盤改良は、従来、推進上部の路上または推進管の発進立坑や到達立坑から水平ボーリング等によってトンネルの掘進工とは完全に切り離し、まったく別工程で行なっており、しかも、かなり広い範囲にわたって行なっているため、きわめて非効率的なだけでなく、注入むらや注入材の無駄が生じやすいという問題があった。また、これらのことが原因で確実な地盤改良ができないばかりでなく不経済な施工をしいられることがあった。
【０００８】
また、特許文献１に記載された地盤改良工法は、トンネル本体を掘進する際の準備段階として行われるもので、パイロットトンネルの掘進を目的に行なわれるものではない。また、パイロットトンネルを掘進し、続いて本体のトンネルを掘進するため、効率が悪く、工期の長期化が免れないものであった。
【０００９】
本発明は、以上の課題を解決するためになされたもので、特に地下水位が高く、被圧地下水位以下でもきわめて効率的かつ安全にトンネルを掘進できるトンネルの構築工法を提供することを目的とするものである。
【課題を解決するための手段】
【００１０】
請求項１記載のトンネルの構築工法は、トンネル内から切羽前方にボーリングを行なって切羽前方の地盤の安定確認を行なう工程と、前記トンネル内から前記切羽前方の地盤中に注入材を注入することによって前記切羽前方の地盤の地盤改良を行う工程と、前記切羽を掘削してトンネルを掘進しつつ掘進したトンネルの地山を覆工する工程を交互に繰り返し行なうことによりトンネルを構築するトンネルの構築工法において、前記ボーリングによる切刃前方の地盤の安定確認はボーリング孔からの出水量を参酌して行い、切刃前方の地盤改良はボーリング孔から注入材を注入することにより行い、切刃の掘削は手掘りまたは機械掘りによって行ない、かつ前記ボーリングによる地盤の安定確認、注入材の注入および切羽の掘削は施工済みの地盤改良部をカバーロックとして行なうことを特徴とするものである。
【００１１】
本発明は、地盤の安定確認と地盤改良をトンネルの掘進に完全に取り込み、これら三つの工程を一連の工程として交互に繰り返し連続して行うことにより、トンネルをきわめて効率的に掘進できるようにしたものであり、開放型推進工法によるトンネルの構築に限らず、比較的安定した地山の場合には開放型シールド工法によるトンネルの構築にも適用することができる。
【００１２】
なお、切羽の掘削は手掘り、あるいはバックホウやブームカッタ等の装備を利用した機械掘りのいずれによっても行なうことができる。また、ボーリングに用いるドリルは特に限定されるものではないが、狭いトンネル内での作業を強いられるため、小型で取り扱い容易なハンドドリルやミゼットドリル等が適している。
【００１３】
さらに、切羽前方の地盤の地盤改良には、在来の薬液注入工法を用いることができる。また、地盤の安定確認の方法は、特に限定されるものではないが、例えばボーリング孔からの出水量などを参酌して行い、出水量が基準量を超える場合に地盤改良を行い、基準量以下の場合は特に地盤改良を行わないようにしてもよい。
【００１５】
また、施工済みの地盤改良部をカバーロック(土留め壁)として切羽前方のボーリングによる地盤の安定確認、切羽の掘削を行なうので、これらの作業中に切羽がトンネル内側に崩壊するといった不測の事態を未然に防止することができるため、きわめて効率的かつ安全にトンネルの構築を行なうことができる。
【００１６】
請求項２記載のトンネルの構築工法は、請求項１記載のトンネルの構築工法において、切羽前方の地盤の安定確認と地盤改良は、トンネルの円周方向に放射状に行うことを特徴とするものである。
【００１７】
この場合、地盤の安定確認と地盤改良域は、トンネルの円周方向にその全周にわたって行なってもよく、また円周方向の一部分について部分的に行なってもよい。
【００１８】
請求項３記載のトンネルの構築工法は、請求項１または２記載のトンネルの構築工法において、ハンドドリルまたはミゼットドリルを用いてボーリングを行なうことを特徴とするものである。
【００１９】
ボーリングに用いるドリルは特に限定されるものではないが、狭いトンネル内での作業を強いられるため、特にハンドドリルやミゼットドリル等が適している。
【発明の効果】
【００２０】
本発明は、地盤の安定確認と地盤改良をトンネルの掘進に完全に取り込み、これら三つの工程を交互に連続して行うことにより、トンネルを効率的にかつ安全に掘進することができる。
【００２１】
また、施工済みの地盤改良部をカバーロック(土留め壁)として切羽前方のボーリングによる地盤の安定確認、切羽の掘削を行なうので、きわめて効率的かつ安全にトンネルの構築を行なうことができる。
【００２２】
さらに、地盤の安定確認と地盤改良は、切羽前方のごく必要な部分についてのみ行なうので、作業工程および注入材等に無駄がなく、きわめて合理的かつ経済的に施工を行なうことができる。
【発明を実施するための最良の形態】
【００２３】
図１〜図９は、本発明に係るトンネルの構築工法の一実施形態を示し、以下その施工手順について説明する。
【００２４】
(1) 最初に、図１および図８に図示するように、発進立坑１内にトンネル２を掘進するための刃口３と、掘進したトンネル２の地山を覆工するためのセグメントリング４、そしてこれらを地中に推進させるための推進設備(元押しジャッキ等)５を設置する。
【００２５】
セグメントリング４は最初の２リング程度を設置する。なお、１リングはトンネル２の鉛直断面内にトンネル２の円周方向にリング状に組み立てられた複数のセグメントピースからなる一組のセグメンリングを意味する。
【００２６】
また、発進立坑１の周辺地盤のうちの発進部を一定範囲(厚)にわたって地盤改良する(以下「地盤改良部Ａ１」という)。地盤改良部Ａ１の地盤改良は注入工法などの在来工法によって地上から行い、地盤の状況にもよるが推進方向に３リング程度の範囲を行う。
【００２７】
(2) 次に、発進立坑１の土留め壁１ａのその一部を壊して(鏡切り)刃口３を土留め壁１ａ内に貫入させる。そしてその後、刃口３内に山留め壁６を仮設する。この場合の山留め壁６は刃口３内に露出する地盤改良部Ａ１の切羽が発進立坑１内側に崩壊するのを防止するための仮設壁であり、矢板を積層する等の方法により仮設することができる。
【００２８】
(3) 次に、図２に図示するように、地盤改良部Ａ１より前方の地盤中にボーリングを行なうことにより地盤改良部Ａ１より前方の地盤に対して地盤の安定確認を行なう。
【００２９】
ボーリングを行なうに際しては、トンネル内にボーリングを行なうためのドリル７をセットする。ドリル７はトンネル２の中心軸上にセットする。
【００３０】
そして、山留め壁６にあらかじめ形成しておいた貫通孔(図省略)にドリル７を貫通させ、前方の地盤改良部Ａ１、さらにその先の地盤中までドリル７を貫入して地盤の安定確認を行なう。
【００３１】
この場合の地盤の安定確認は地盤の性状にもよるが、概ねトンネル２の掘進方向に１〜３リング程度の範囲内をトンネル２の直径方向にトンネル２の外径の１．５倍程度の範囲について行う。
【００３２】
また、地盤の安定確認は図９に図示するようにトンネル２の全周について放射状に行なうが、トンネル２の円周方向に一定範囲にわたって放射状に行なってもよい。
【００３３】
なお、地盤の安定確認の方法は、例えばボーリング孔からの出水量などを参酌し、出水量が基準量を超える場合に地盤改良を行い、基準量以下の場合は特に地盤改良を行わないようにしてもよい。
【００３４】
また、ボーリングに用いるドリル７は特に限定されるものではないが、狭いトンネル２内での作業を強いられるため、小型で取り扱い容易なハンドドリルやミゼットドリル等が適している。
【００３５】
(4) 次に、図２に図示するボーリングの結果、ボーリング孔から基準量を越える出水が発生する等して切羽前方の地盤が強度的に不安定と判断されたときは、図３に図示するように地盤改良部Ａ１より前方の地盤について１〜３リングの範囲に対して地盤改良(以下「地盤改良部Ａ２」という)を行う。
【００３６】
この場合の地盤改良は、地盤の安定確認を行った際に削孔したボーリング孔を利用し、注入装置(図省略)によって地盤中に注入材を注入することにより行う。注入材には一般の薬液注入材を利用することができる。
【００３７】
なお、地盤改良は、図９に図示するようにトンネル２の全周について放射状に行なうが、一部分に対して、例えば出水が発生した場所に対してのみ部分的に行なってもよい。また、水平ボーリング等によって事前に地盤全体に対して地盤改良が行われている場合、この注入は補足注入となる。
【００３８】
また、ボーリングの結果、出水もなく、地盤が比較的安全であると判断されたときは、地盤改良を行わずに切羽の掘削にとりかかればよい。
【００３９】
(5) 次に、図３に図示するように、発進立坑１の土留め壁１ａより先の地盤改良部Ａ１の切羽を手掘り、またはバックホウやブームカッタ等を装備した機械掘りによって掘進方向に１〜２リング程度の範囲を掘削する。また、切羽の掘削と並行して推進設備５によって刃口３とセグメントリング４を地盤改良部Ａ１内に推し進めてトンネル２の地山をセグメントリング４によって覆工する。
【００４０】
(6) こうして、１〜２リング程度掘進したら次に、図４に図示するように切羽の掘削を一時中断し、切羽前方の地盤中にボーリングを行なうことにより地盤改良部Ａ２より前方の地盤に対して地盤の安定確認を行なう。
【００４１】
ボーリングを行なうに際しては、ドリル７の位置を切羽側に移動し、山留め壁６にあらかじめ形成しておいた貫通孔(図省略)にドリル７を貫通させ、切羽前方の地盤改良部Ａ１，Ａ２、さらにその先の地盤中までドリル７を貫入する。そして、地盤改良部Ａ１およびＡ２より先の地盤に対して、(3)で説明した要領で１〜３リングの範囲について地盤の安定確認を行なう。
【００４２】
ボーリングの結果、地盤改良が必要なときは、地盤改良部Ａ１およびＡ２より先の地盤に対して、(4)で説明した要領で地盤改良を行う(以下「地盤改良部Ａ３」という)。
【００４３】
また、地盤の安定確認および地盤改良と並行して発進立坑１内では、元押しジャッキを元に収縮させ、１〜２リング程度のセグメントリングを新たに設置する。
【００４４】
(7) 次に、(5)で説明した要領で地盤改良部Ａ１およびＡ２を掘削し、これと並行して元押しジャッキを作動させて刃口２およびセグメントリング４を推進させて掘削したトンネルの地山をセグメントリング４によって覆工する。
【００４５】
以下、同様にして、切羽前方の地盤の安定確認および地盤改良を行なう工程とセグメントリング４の設置、刃口２およびセグメント４を推進させる工程を到達立坑８まで交互に繰り返し行うことによりトンネル２の全長を開放型推進工法によって構築する。
【産業上の利用可能性】
【００４６】
本発明は、被圧地下水位以下でトンネルをきわめて効率的かつ安全に構築することができる。
【図面の簡単な説明】
【００４７】
【図１】発進立坑内に刃口、セグメントリングおよび推進設備を設置した状態を示す発進立坑の発進部の一部縦断面である。
【図２】切羽前方の地盤中に地盤の安定確認を目的にボーリング行う方法を示す発進立坑の発進部の一部縦断面図である。
【図３】地盤中に刃口およびセグメントリングを推進させる方法を示す推進立坑の発進部の一部縦断面図である。
【図４】切羽前方の地盤中に地盤の安定確認を目的にボーリング行う方法を示す発進立坑の発進部の一部縦断面図である。
【図５】地盤中に刃口およびセグメントリングを推進させる方法を示す推進立坑の発進部の一部縦断面図である。
【図６】切羽前方の地盤中に地盤の安定確認を目的にボーリング行う方法を示す発進立坑の発進部の一部縦断面図である。
【図７】地盤中に刃口およびセグメントリングを推進させる方法を示す推進立坑の発進部の一部縦断面図である。
【図８】本工法によって構築するトンネルの全体を示す平面図である。
【図９】地盤改良部を示す縦断面図である。
【符号の説明】
【００４８】
１  発進立坑
２  トンネル
３  刃口
４  セグメントリング
５  推進設備(元押しジャッキ等)
６  山留め壁
７  ドリル
８  到達立坑
Ａ１  地盤改良部
Ａ２  地盤改良部
Ａ３  地盤改良部
【図１】
0005169331.tif 000002
【図２】
0005169331.tif 000003
【図３】
0005169331.tif 000004
【図４】
0005169331.tif 000005
【図５】
0005169331.tif 000006
【図６】
0005169331.tif 000007
【図７】
0005169331.tif 000008
【図８】
0005169331.tif 000009
【図９】
0005169331.tif 000010